(57)【要約】      （修正有）【課題】より簡易な構成で塵回収袋がしぼみ、集塵機能が低下することを防ぐ効果がある塵回収容器を備えた集塵装置を提供する。【解決手段】配管を介して接続した先から流入する空気に含まれる塵を捕集し回収する塵回収容器２と前記塵回収容器に収容可能な塵回収袋４と前記塵回収容器の内面に沿って前記塵回収袋を挟み込むようにして設置可能な枠体５とを備え、前記枠体を前記塵回収容器から取り外すことによって、捕集した塵を前記塵回収袋に収めることを特徴とする。枠体５と枠体底面６との間には、これらを接続する底面開閉機構７を備え、塵回収容器２から取り外す時には枠体底面６が開く構造としてもよい。このような構造をとることにより、捕集時には塵回収袋４を枠体底面６が押さえつけるので、安定して負圧により塵回収袋４が浮き上がることを防止することができる。【選択図】図２
0003191673.tif 000002
【実用新案登録請求の範囲】
【請求項１】
配管を介して接続した先から流入する空気に含まれる塵を捕集し回収する塵回収容器と前記塵回収容器に収容可能な塵回収袋と前記塵回収容器の内面に沿って前記塵回収袋を挟み込むようにして設置可能な枠体とを備え、前記枠体を前記塵回収容器から取り外すことによって、捕集した塵を前記塵回収袋に収めることを特徴とする集塵装置。
【請求項２】
前記枠体の底面には開閉可能な機構を有し、前記塵回収容器から取り外す時には底面が開き、前記枠体下部より塵が排出することを特徴とする請求項1に記載の集塵装置。
【考案の詳細な説明】
【技術分野】
【０００１】
本考案は、集塵装置の塵回収容器に関する。
【背景技術】
【０００２】
従来より、捕集した塵を都度回収袋に移す労力を省くため、また、捕集する材料の中には有害な物質が含まれる場合もあり、人体への悪影響や周辺環境の汚染を防ぐために塵回収袋を塵回収容器に装着する構造は知られている。
例えば、特許文献1で提案される穀粒乾燥機の集塵処理装置では、収容袋をサイクロン側ではなく収容容器側に支持するように装着することで、前記収容容器内が負圧になっても前記収容袋が前記サイクロン側に吸い込まれにくくなる構造が記載されている。
また、特許文献２で提案される集中形真空清掃装置では、塵埃捕集機構で捕集された塵埃を収容する塵埃容器と、前記塵埃容器内にその内面に沿って収容される塵埃受袋とから構成され、前記塵埃容器内面と前記塵埃受袋との間を負圧に排気する塵埃受袋吸着機構が記載されている。
【先行技術文献】
【特許文献】
【０００３】
【特許文献１】特開２００７−３１４９号公報
【特許文献２】特開昭５７−１２２８２７号公報
【考案の概要】
【考案が解決しようとする課題】
【０００４】
しかし、特許文献1に記載されるように塵回収袋を装着しても塵回収容器内は負圧になるため塵回収袋がしぼむことは避けられず、容積が小さくなることによる捕集量の低下すなわち集塵機能の低下という問題がある。また、特許文献２の機構を有すれば、塵回収袋がしぼむことを防ぐことは可能であるが、塵回収容器ごとに塵埃受袋吸着機構を設けなくてはならず、配管数を増やさなくてはならないという問題点がある。
【０００５】
本考案は、前記に鑑みなされたものであり、より簡易な構成で塵回収袋がしぼみ、集塵機能が低下することを防ぐ効果がある塵回収容器を備えた集塵装置を提供することを目的とする。
【課題を解決するための手段】
【０００６】
本考案に係る集塵装置では、配管を介して接続した先から流入する空気に含まれる塵を捕集し回収する塵回収容器と前記塵回収容器に収容可能な塵回収袋と前記塵回収容器の内面に沿って前記塵回収袋を挟み込むようにして設置可能な枠体とを備え、前記枠体を前記塵回収容器から取り外すことによって、捕集した塵を前記塵回収袋に収めることを特徴とする。
【０００７】
本考案において、前記枠体の底面には開閉可能な機構を有し、前記塵回収容器から取り外す時には底面が開き、前記枠体下部より塵を排出させてもよい。
【考案の効果】
【０００８】
本考案に係る集塵装置によれば、配管を介して接続した先から流入する空気に含まれる塵を捕集し回収する塵回収容器と前記塵回収容器に収容可能な塵回収袋と前記塵回収容器の内面に沿って前記塵回収袋を挟み込むようにして設置可能な枠体とを備えることにより、捕集した塵を都度回収袋に移す労力を省くことができ、また、捕集する材料の中の有害な物質からの人体への悪影響や周辺環境の汚染を防ぐことができることに加え、より簡易な構成で塵回収袋がしぼみ、集塵機能が低下することを防ぐ効果がある。
【図面の簡単な説明】
【０００９】
【図１】本考案の一実施形態に係る塵回収容器に集塵サイクロンを設置した図
【図２】本考案の一実施形態に係る塵回収容器の縦断面図
【図３】本考案の一実施形態に係る塵回収容器の横断面図
【考案を実施するための形態】
【００１０】
以下、本考案の実施形態について図面に基づき説明する。図１は本考案の一実施形態に係る塵回収容器に集塵サイクロンを設置した図である。図１に示すように、集塵装置１は塵回収容器２の上部に集塵サイクロン３を設置してもよい。集塵サイクロン３は空気が流れ込む流入口３１と空気を放出する流出口３２とを備えている。
【００１１】
図２は本考案の一実施形態に係る塵回収容器の縦断面図であり、図３は本考案の一実施形態に係る塵回収容器の横断面図である。配管を介して接続した先から流入する空気に含まれる塵を捕集し回収する塵回収容器２と塵回収容器２に収容可能な塵回収袋４と塵回収容器２の内面に沿って塵回収袋４を挟み込むようにして設置可能な枠体５とを備えている。ここで塵回収容器２は円筒体に限らず直方体のような多角柱の容器であってもよい。また、枠体５は塵回収袋４を挟み込むことが可能であれば、側面は格子状や連子状としてもよい。
【００１２】
枠体５と枠体底面６との間には、これらを接続する底面開閉機構７を備え、塵回収容器２から取り外す時には枠体底面６が開く構造としてもよい。このとき、枠体底面６は少なくとも１以上の底面開閉機構７を有した構造とすればよく、枠体底面６が少なくとも１以上に分割されていてもよい。枠体底面６が閉じた状態から開いた状態までの角度を開き角度とすれば、この開き角度は捕集した塵が排出可能な角度であればよい。また、枠体底面６の素材によっては枠体底面６が負圧により少し浮き上がる、つまり、枠体底面６が開く方向とは逆に底面開閉機構７が屈曲したとしても押さえつけている塵回収袋４がしぼんで容積が小さくならない程度であれば問題ない。従って、底面開閉機構７は屈曲可能なものであればよく、蝶番やゴム様物質などを用いるとよい。
【００１３】
次に作用を説明する。本発明の装置は、例えばペレット等の粉粒体材料の輸送装置や乾燥装置に付属して用いられる。図１に示すように塵回収容器２は上部に集塵サイクロン３を設置してもよい。例えば集塵サイクロン３の流入口３１は吸引配管を介して乾燥装置上部に据え付けられた材料貯留部（不図示）に接続し、流出口３２は空気源に接続するような吸引輸送で使用する場合、空気源が作動すると、流出口３２より集塵サイクロン３内の空気は引っ張られ、同時に吸引配管を通じて流入口３１から空気が吸い込まれる。この空気中にはスネークスキン、ペレットくず、粉等の塵が含まれる。このとき、吸い込まれた空気は慣性力により旋回流を発生する。空気中に含まれる塵は空気よりも重いため自重により落下し、塵回収容器２で捕集される。また、本発明の装置は、集塵装置１の上流側に空気源をもつような圧送輸送、吸引圧送輸送に使用することもできる。この場合は、流入口３１から配管を通じて空気が流れ込み、集塵サイクロン３で塵と空気とが分離され、空気は流出口３２より放出される。流出口３２は配管を通じて放出した空気を再利用できるような先へ接続、あるいは、大気中へ排気させてもよい。
【００１４】
塵回収容器２の内面に沿って塵回収袋４を挟み込むようにして設置可能な枠体５を備えていることにより、枠体５を取り外すだけで塵回収袋４に捕集した塵を回収することが可能となり、都度回収袋に移す労力を省くことができ、また、捕集する材料の中の有害な物質からの人体への悪影響や周辺環境の汚染を防ぐことができる。
【００１５】
また、簡易な構成である枠体５の追加のみで、塵回収袋４がしぼみ、集塵機能が低下することを防ぐ効果がある。
【００１６】
枠体５は、例えば、金属製やプラスチック製のものなどが考えられる。捕集する塵に含まれる材料の性質に合わせて枠体５の素材は決めてよい。
【００１７】
枠体５と枠体底面６との間には、これらを接続する底面開閉機構７を備え、塵回収容器２から取り外す時には枠体底面６が開く構造としてもよい。このような構造をとることにより、捕集時には塵回収袋４を枠体底面６が押さえつけるので、安定して負圧により塵回収袋４が浮き上がることを防止することができる。
【００１８】
例えば枠体底面６が１以上に分割されている場合、底面開閉機構７を持たない側を少し上向きに屈曲させておくと、枠体５を設置したときに枠体底面６の屈曲した先端が塵回収袋４を間に挟んで塵回収容器２の底面に当たるので、これがきっかけとなり、枠体底面６を閉まりやすくすることもできる。また例えば枠体底面６をゴム様物質とすれば、底面開閉機構７を設けなくてもゴムの性質により開閉が可能となる。このような構成を備えることで、枠体底面６の開閉は簡単行うことができ、枠体５の設置および取り外しが容易である。
【００１９】
本発明の装置を用いて回収した塵は廃棄物として処理されるだけでなく、成形材料として再利用することも可能である。
【符号の説明】
【００２０】
１    集塵装置
２    塵回収容器
３    集塵サイクロン
３１  流入口
３２  流出口
４    塵回収袋
５    枠体 
６    枠体底面
７    底面開閉機構
【図１】
0003191673.tif 000003
【図２】
0003191673.tif 000004
【図３】
0003191673.tif 000005